(57)【特許請求の範囲】
【請求項１】
平がな字母によって入力する３行１０列の字母入力鍵盤を用いるパーソナルコンピュータの和文入力方式において、１回の打鍵によって直接に字母が入力される基本的鍵盤と、別に備えたシフト鍵の打鍵によって呼び出される二次的鍵盤を使用する入力方式において、基本的鍵盤に、あ行、か行、さ行、た行、な行の各字母を設定した入力方式において、残された１行５列に、その字母が出現する頻度を基礎にしながら、さらに五十音図上の配列における位置と鍵盤形態との対応、基本的な動詞の活用形あるいは格助詞のような文法的機能の重要性の度合い等の要素を加味して、重要と判断される、り、る、れ、で、だ、も、ょ、は、が、ん、っ、を、の１２個の字母の中から選ばれる５個の字母を設定したパーソナルコンピュータの入力方式。
【請求項２】
〔請求項１〕に記載の３行１０列の字母入力鍵盤を用いたパーソナルコンピュータの和文入力方式において、基本的鍵盤の、あ行、か行、さ行、た行、な行、の５行以外に、残された１行に設定する字母を、は、が、っ、ん、を、の５字母としたパーソナルコンピュータの入力方式。
【発明の詳細な説明】
【技術分野】
【０００１】本発明は、小型電子機器の総合的日本語入力方式に関するものである。
【背景技術】
【０００２】本発明の中心的課題は、３行５列の鍵盤及び３行１０列の鍵盤において、入力方式と日本語の音韻構成ならびに音韻体系との肯定的対応関係を全面的に確立する小型電子機器の総合的日本語入力方式を確立する点にある。【０００３】一般的に言って、日本語の音韻構成あるいは音韻体系を反映する電子機器の入力方式としては、一般的な携帯電話の場合における通常の五十音図に基づいた入力方式が採用されており、パーソナルコンピューターの場合には日本語の音韻体系を反映するＮＥＣの森田方式および日本語の音韻構成を反映するＪＩＳひらがな入力方式と富士通のいわゆる親指シフト方式の３種類がある。【０００４】周知のように、欧米諸国での携帯電話でのメールの使用は、きわめて低調であり、わが国におけるその盛行とは対照的である。【０００５】このような事情の背景には、携帯電話における日本語入力が五十音図を基礎として組み立てられているという事実がある。【０００６】言い換えれば、携帯電話における日本語入力は日本語の音韻構成と音韻体系を反映する形で行われているのであり、このことが、その良好なヒューマンインターフェイスを保障しているのである。【０００７】このような、携帯電話の入力方式は、３行３列の鍵盤に配置された９個の鍵と別の１個の鍵を使用する形で行われるいわゆるテンキー方式である。【０００８】この優れた方式は、それにもかかわらず、いくつかの問題点を抱えている。【０００９】その主要な問題点は、五十音の各行の入力が、標準的な場合に最低１回から５回、小型の字形を含む「あ行」の場合には、最低１回から１０回の鍵の押し下げが必要であり、総計で８０種類のキーストロークが必要であり、これをアルファベットによる英文入力の場合の２６種類のキーストロークに対して、単に機械的物理的な面から見ると著しく煩瑣である点があげられる。【００１０】わが国の携帯電話の五十音に基づく入力が、このような問題点を持ちながら、そして不当にもガラパゴス的と嘲笑されながら、圧倒的な実用性を誇っているのは、それが五十音という日本語の音韻構成と音韻体系を反映する入力方式となっているからである。【００１１】よりくわしく言えば、わが国の現行の携帯電話の入力方式においては、字音入力の単位がひらがなであることによって、日本人の意識する最小の字音単位がそのまま入力の対象になると言う点において、日本語の音韻構成に直接に対応し、この入力対象であるひらがな字母が、基本的に五十音図に従って配列されているという点において、日本語の音韻体系に対応しているのであって、このことが、多様なキーストロークというマイナス点を大きく補っているのである。【００１２】ＪＩＳひらがな入力は、図２に示すように、４行１２列の鍵盤を用いて、その第一行に、左から順に、ぬふあうえ  おやゆよわほへ、第二列に、たていすか  んなにらせ、第三列に、ちとしはき  くまのりれけむ、第四列に、つさそひこ、みもねるめろ、の合計４５字母を設定し、残りの濁音半濁音の２５字母、ぁぃぅぇぉ、ゃゅょっ、の小型９字母を広義のシフト鍵と組み合わせて入力するのである。【００１３】タイプライターに起源するいわゆるｑｗｅｒｔｙ方式は、いろいろの問題を含みながら、３行１０列の鍵盤と言う意味では、手指の構造にもっとも適合的な周知の運指方式であるが、ＪＩＳ方式は、これを４行１２列に拡大するとともに、字母の配列においても、日本語の音韻体系と一致していない点で、ヒューマンインターフェイスに対する配慮を欠いている。【００１４】これに対して、先行技術文献１ないし４に示される富士通のいわゆる親指シフト方式は、親指シフトキーを用いて、基本的鍵盤以外の鍵盤を呼び出すことによって、すべての入力行為を３行１０列の鍵盤の範囲内に収めることに成功した。【００１５】この富士通方式のＪＩＳ方式に対する優越性は、親指シフトに関するさまざまなホームページに示されているが、すべての入力行為を３行１０列の鍵盤の範囲内に収めるという一点に絞っても、それは明らかであると考えられる。【００１６】現行の富士通の親指シフト鍵盤の構成については、先行特許文献６に示されているが、そこではそのような字母配置の根拠と効果については全面的には示されていないので、富士通の親指シフトに関する取り扱い説明書やウィキペディアの説明に依拠しながら、簡単に説明する。【００１７】現行の富士通の親指シフトの字母配置は、図３に見えるように、ただ一度の打鍵行為のみによって入力される字母を、左右半面づつに分割した３行１０列の鍵盤の左半分の鍵盤の第一行に、こたこさ、第二行に、うしてけせ、第三行に、ひすふへ、右半分の第一行にらちくつ，、第二行にはときいん、第三行に、めそねほ・、の各字母・符号として設定し、左鍵盤に左親指キーの打鍵を加えて入力される第一行に、あえりゃれ、第二行に、をあなゅも、第三行に、うーろやい、右半分の鍵盤に右親指キーの打鍵を加えて入力される第一行に、よにるまえ、第二行に、みおのょっ、第三行に、ぬゆむわぉ、の各字母を設定し、左鍵盤に右親指キーの打鍵を加えて入力される第一行に、がだござ、第二行に、じでげぜ、第三行に、びずぶべ、右鍵盤に左親指キーの打鍵を加えて入力される第一行に、ぱぢぐづぴ、第二行に、ばどぎぽ、第三行に、ぷぞぺぼ〜、の各字母・符号を設定するものである。【００１８】この富士通の親指シフト方式は、ウィキペディアによると、日本オフィスオートメーション協会と日本能率協会の主催のワープロ検定合格率で、第一回から第四回まで、金賞を独占し、銀賞も８例中７例を受賞しているのであるが、最近の家庭向け機種においてはその姿を消している。【００１９】このことは、この方式が極めて高い入力機能を備えていながら、一方では入力者にとっては相当に高い負担を強いるものであることを推測させる。【００２０】この方式の長所としては、第一にそれがかな文字を直接の入力対象としていること、第二にこの入力対象を親指シフトを活用することによって、ヒューマンインターフェイスの良好な３行１０列の鍵盤に配置していることがあげられる。【００２１】この方式の支持者は、さらに、これらの入力対象字母の大半、ネット上のある発言は６３％以上とする、が鍵盤のホームポジションに割り当てられていることを、このシステムの優位性として主張する。【００２２】しかし、このことを逆に言えば、鍵盤の第一列と第三列には、それぞれ入力対象字母の２０％が割り当てられ、ホームポジションには、６０％が割り当てられる不均衡が存在することになる。【００２３】一旦、３行１０列の鍵盤が入力の場として割り当てられている以上、この鍵盤上の各鍵は、ほぼ同等の打鍵率を与えられるほうが合理的であるという考え方もなりたつ。【００２４】さらに、この方式は、ホームポジションに打鍵率の高い字母を集中させるように設計した結果、五十音の配列はまったく無視されている。【００２５】つぎに問題になるのは、字母鍵の打鍵と親指シフトの打鍵は同時になされるのであるから、親指打鍵は打鍵数に算定する必要が無いと言う主張である。【００２６】この主張は、いわゆるＮＥＣの森田方式の場合にも見られる。【００２７】これらの方式の支持者は、同時打鍵のストレスは、字母鍵盤上の２鍵を同時に打鍵するときに見られる現象であり、字母鍵盤と親指シフト鍵の同時打鍵の場合にはストレスがないと主張している。【００２８】たしかに、字母鍵盤と親指シフト鍵の同時打鍵の場合のストレスは、字母鍵盤上の２鍵を同時に打鍵する場合に比べると格段に低い。【００２９】しかし、このことは同時打鍵という行為にまったく負担が無いと言うことを意味するものではない。【００３０】打鍵者が人間である限り、通常の打鍵行為に加えて親指シフト鍵を打鍵するためには、それを意識し、行動に移す必要がある。【００３１】そして、通常の打鍵行為とリズムの異なる打鍵を、通常の鍵盤以外の対象において行うことは、少なくとも通常の打鍵よりは大きな負担になるはずである。【００３２】そこで、親指シフト方式の支持者の意図に反して、ホームポジションへの出現頻度の高い字母の集中は、すくなくともそれが字母の五十音配列を阻止するという点でマイナス効果を持ち、字母鍵と親指シフト鍵の同時打鍵は、入力者の負担とストレスの原因となると考えられる。【００３３】ウィキペディアでは、親指シフトがかな文字単位で入力することで、入力の際に「指が踊るような快感」があると表現している。【００３４】この快感は、日本語音韻の特質である平かな字母単位の音韻構成に対応することによって得られるものである。【００３５】一方、日本語の音韻体系は、この平がなによって表現される音韻単位をたとえば同士の五段活用にみられるように、五十音図にしたがって、体系的に配列する慣性に従っている。【００３６】そこで、たとえば、ＮＥＣの森田方式は、アルファベットの字母を用いて子音と母音の結合としてひら仮名音韻を入力すると言う回り道を採用しながら、入力字母の配列を五十音図に対応させることによって、「思考を反映する入力」を実現しているのである。【００３７】そこで、現行の富士通の親指シフト方式が、ホームポジションへの出現頻度の高い字母の集中という目的のために、五十音図に対応する字母配列を放棄したことには疑問がある。【００３８】一般的なパーソナルコンピュータでは、各鍵の中心点から中心点までの距離はほぼ、２ｃｍ程度である。【００３９】物理的な観点から言えば、運指距離と運指時間は短いほうが好いのは明らかであるが、この程度の距離の短縮がどれほどの効果を持つかは疑問である。【００４０】実際の運指速度を決める大きな要素、あるい決定的な要素は、入力対象字母と入力対象鍵を結びつける認識に要する時間とこれを実際の行動に移す脳の指令の形成に要する時間である。【００４１】実際に、こうした要素を欠いた単なる運指能力について観察すると、両指の順次打鍵という条件のみで卓上の打鍵を行ってみれば、１０秒１００打鍵程度の結果が出る。【００４２】人間の物理的な運指能力は、この水準に達しているのであって、実際上の運指がはるかにこの水準に及ばない原因は、脳の認識と指令のメカニズムの形成と実施に費やされる時間にかかっている。【００４３】再び繰り返すことになるが、日本の携帯電話が驚異的な入力速度を実現していることを考えれば、入力システムが、日本語の音韻構造と音韻体系に対応することが、脳の認識と指令のメカニズムの形成と実施に費やされる時間を最小にするのではないかと推測される。【００４４】すなわち、携帯電話の日本語入力は、８０のキーストロークシーケンスを持つとともに、このキーストロークシーケンスは、たとえば「あ」の１打鍵での入力から、「ぉ」の１０打鍵での入力まで、さまざまなヴァリエーションを持って分布している。【００４５】これは、２６種のキーストロークシーケンス、ごくまれに出現する大文字を加えても５２種のキーストロークシーケンスによって入力され、このキーストロークシーケンスは、たとえばａの１打鍵からｓの４打鍵まで、相対的に低いヴァリエーションで分布する英語の入力に比して、機械的、物理的には、きわめて煩瑣な入力方式であるが、なおかついわゆるガラパゴス的と不当に揶揄される繁栄を誇っているのである。【００４６】さらに言えば、携帯電話の入力は一般的には親指一本での入力が行われており、５本指を総動員するパーソナルコンピュータに比して物理的にはハンディのある入力なのである。【００４７】このようなハンディを持つ携帯電話がそれを克服した人気を享受しているのは、一にかかって、それが日本語の音韻的構造、音韻的体系に直接に対応するシステムを提供しているからであると判断できる。【００４８】このような観点に立って考えるとき、重要なことは、富士通の初期の親指シフト方式は、五十音の配列を利用した形で構想されていることである。【００４９】特許文献１ないし４に見られる鍵盤は、図４に示すように、ただ一度の打鍵行為のみによって入力される字母を、３行１０列の鍵盤の左半分の鍵盤の第一行に、てとつちた、第二行に、ねのぬにな、第三行に、へほふひは、右半分の第一行にかきくこけ、第二行に、あいうおえ、第三行に、さしすそせの各字母を設定し、左鍵盤にシフトキーの打鍵を加えて入力される第一行に、わょゅゃ、第二行に、もめむみま、第三行に、よゆや、右半分の鍵盤にシフトキーの打鍵を加えて入力される第一行に、をっんー、第二行に、らりるろれ、の各字母を設定し、濁音キーの打鍵を加えて入力される左半分の鍵盤の第一行に、でどづぢだ、第三行に、ぼべぶびば、右半分の鍵盤の第一行に、がぎぐごげ、第三行に、ざじずぞぜ、の各字母・符号を、半濁音キーの打鍵を加えて入力される鍵盤の左半分の第３行に、ぺぽぷぴぱ、の各字母を設定するものである。【００５０】今、親指シフト鍵の打鍵を少なくとも１回の打鍵と算定する立場から、富士通のこの二つの親指シフト方式の優劣を判断したい。【００５１】本発明においては、朝日新聞の２０１６年４月２１日から３０日までの天声人語の記事、同じく朝日新聞の同年４月２１日から２３日までの社説、同年４月２５日から５月１日までの夕刊の歌手イルカの探訪記事をそれぞれ平かな入力した場合の各字母数の分布、及びこの３記事の平かなの各字母数の総計をもとに、この問題を判断する。【００５２】なお、この３記事はそれぞれの総字母数が互いに接近するようにその選択の期間を決定している。【００５３】社説は議論文の文体の、天声人語は普通の文体の、イルカの探訪記事は会話に近い文体の典型として選んでいるが、ここではその総計を基準に富士通の二つの方式の必要打鍵数を見ることにする。【００５４】天声人語の場合、各字母と各行ごとの各字母の出現回数は、あ１０４、い４９５、う３８２、え８６、お１０１、あ行の総計は１１６８。ぁ０、ぃ２、ぅ０、ぇ３、ぉ１、ぁ行の総計は６、か２８９、き１５４、く１９６、け６８、こ１４５、総計８５２。さ９９、し２７７、す１０７、せ７９、そ７２、総計６３４。た２２６、ち９７、つ１１８、て１１２、と２０３、総計７５６。っ１２７。な１８９、に２０３、ぬ３、ね３３、の２６３、な行の総計６９１。は１７５、ひ７０、ふ３４、へ１６、ほ４７、総計３４２。ま１０９、み７２、む２２、め４２、も１０６、総計３５１。や３６、ゆ１８、よ６５、わ５０、を９４、総計２８３。ゃ４３、ゅ７４、ょ１２７、総計２４４。ら８８、り８５、る１５６、れ１０７、ろ５０、総計４８５。が１８８、ぎ３１、ぐ１３、げ３６、ご２７、総計２９５。ざ８、じ１４１、ず２３、ぜ３３、ぞ８、総計２１３。だ８９、ぢ０、づ１６、で１０５、ど６２、総計２７２。ば４８、び２２、ぶ２６、べ１４、ぼ９、総計１１９。ぱ１５、ぴ７、ぷ７、ぺ５、ぽ３、総計３７。ん４３０。−１７。総合計７３０２。【００５５】イルカの場合、あ８３、い４２７、う３２７、え７７、お１０２、あ行総計１０１６。ぁ５、ぃ１０、ぅ０、ぇ１、ぉ４、総計２０。か２３３、き１３３、く１７４、け５０、こ１３２、総計７２２。さ７６、し２８６、す１２５、せ７１、そ７１、総計６２９。た２７１、ち１１１、つ６７、て１９２、と２２３、総計８６４。っ１５８。な１８０、に１８５、ぬ６、ね７０、の２２１、な行の総計６６２。は１８３、ひ３４、ふ３５、へ１１、ほ２２、総計２８５。ま１３４、み６０、む１３、め４２、も１１０、総計３５９。や３１、ゆ１８、よ５４、わ５４、を７９、総計２３６。ゃ３０、ゅ８０、ょ７１、総計１８１。ら１１２、り６９、る８８、れ９２、ろ４５、総計４０６。が１７７、ぎ１４、ぐ２２、げ２１、ご２７、総計２６１。ざ９、じ１３４、ず１９、ぜ５、ぞ９、総計１７６。だ８５、ぢ０、づ３、で１６６、ど４０、総計２９４。ば２９、び２０、ぶ２７、べ１５、ぼ１１、総計１０２。ぱ１１、ぴ４、ぷ１１、ぺ２、ぽ７、総計３５。ん３４７。−７７。総合計６８３０。【００５６】社説の場合、あ７２、い５４３、う４４６、え６９、お６４、あ行総計１１９４。ぁ０、ぃ４、ぅ０、ぇ６、ぉ１、総計１１。か３１０、き１９３、く２０２、け７８、こ１２２、総計９０５。さ９９、し３５０、す７７、せ１４５、そ６８、総計７３９。た２１０、ち９１、つ１２７、て１２１、と１５７、総計７０６。っ１１１。な１３８、に１８３、ぬ４、ね４０、の２４１、な行の総計６０６。は１７２、ひ５１、ふ３７、へ３０、ほ５２、総計３４２。ま８８、み４１、む２６、め６０、も９０、総計３０５。や３５、ゆ１６、よ６０、わ３４、を１４１、総計２８６。ゃ５２、ゅ１２２、ょ１７１、総計３４５。ら７７、り８５、る１８２、れ８３、ろ４５、総計４７２。が１６４、ぎ２９、ぐ１０、げ４８、ご２９、総計２８０。ざ１３、じ１６６、ず１８、ぜ２３、ぞ５、総計２２５。だ１０４、ぢ０、づ１０、で１４３、ど７３、総計１０５。ば２３、び２１、ぶ３４、べ１４、ぼ１３、総計１０５。ぱ１８、ぴ７、ぷ３、ぺ０、ぽ３、総計３１。ん５２９。−４２。総合計７５６５。【００５７】天声人語、イルカ、社説の総合計の場合、あ２５９、い１４６５、う１１５５、え２３２、お２６７、あ行総計３３７８。ぁ５、ぃ１６、ぅ０、ぇ１０、ぉ６、総計３７。か８３２、き４８０、く５７２、け１９６、こ３９９、総計２４７９。さ２７４、し９１３、す３０９、せ２９５、そ２１１、総計２００２。た７０７、ち２９９、つ３１２、て４２５、と５８４、総計２３２７。っ３９６。な５０７、に５７１、ぬ１３、ね１４３、の７２５、な行の総計１９５９。は５３９、ひ１５５、ふ１０６、へ５７、ほ１２１、総計９６９。ま３３１、み１７３、む６１、め１４４、も３０６、総計１０１５。や１０２、ゆ５２、よ１７９、わ１３８、を３１４、総計７８５。ゃ１２５、ゅ２７６、ょ３６９、総計７７０。ら２７７、り２３８、る４２６、れ２８２、ろ１４０、総計１３６３。が５２９、ぎ７４、ぐ４５、げ１０５、ご８３、総計８３６。ざ３０、じ４４１、ず６０、ぜ６１、ぞ２２、総計６１４。だ２７８、ぢ０、づ２９、で４１４、ど１７５、総計８９６。ば１００、び６３、ぶ８７、べ４３、ぼ３３、総計３２６。ぱ４４、ぴ１８、ぷ２１、ぺ７、ぽ１３、総計１０３。ん１３０６。−１３７。総合計２１６９８。【００５８】以下、朝日新聞の天声人語、イルカ、社説のすべてを入力する場合を例として、シフト鍵の打鍵を１打鍵として算入する、五十音体系への対応を重視する、という本発明の観点から、現行親指シフト方式とその原型となった親指シフト方式の特質を検討する。【００５９】まず、現行の親指シフト方式の場合は、ただ１回の打鍵で字母が入力される基本的な鍵盤に設定された字母とその打鍵数は、左鍵盤の第一行、か８３２、た７０７、こ３９９、さ２７４、第二行、う１１５５、し９１３、て４２５、け１９６、せ２９５、第三行、ひ１５５、す３０９、ふ１０６、へ５７、右鍵盤の第一行、ら２７７、ち２９９、く５７２、つ３１２、第二行、は５３０、と５８４、き４８０、い１４６５、ん１３０６、第三行、め１４４、そ２１１、ね１４３、ほ１２１、となり、その合計は、１２２６７であり、全体の合計２１６９８の約５６．５３％になる。【００６０】
【特許文献１】特願昭５３−３６４５５
【特許文献２】特願昭５８−７２４９２
【特許文献３】特願昭５８−７２４９３
【特許文献４】特願昭６１−２３５８８６
【特許文献５】特願昭６２−１８２２９６
【特許文献６】特願平２−６１５６５
【特許文献７】特願平４−１７５９０
【特許文献８】特願平４−１３００４６
【特許文献９】特願平４−２５２７３３
【発明の概要】
【発明が解決しようとする問題】
【００６１】そこで、本発明の課題は、これまで平かな字母での日本語入力の方式としてもっとも優れていると判断される、富士通の親指シフトの原型方式の長所を踏まえたうえで、これを如何に改良するかという点におかれる。
【００６２】富士通の親指シフトの原型タイプからは、まず、五十音図の前半におかれる字母は、後半に置かれる字母よりも出現頻度が高いという注目すべき事実が明らかになる。
【００６３】しかし、その前半部分でも、は行の字母の出現率はいちじるしく低く、また後半にも相当に出現頻度の高い字母は存在するので、これらの字母を合理的な形で、は行の字母と入れ替えれば、より打鍵数の低い鍵盤を用意できることになる。
【００６４】そこで、天声人語、イルカ、社説、それぞれの場合に、は行以後に現れる字母で出現頻度の高い字母を示すと、天声人語の場合は、順に、ん４３０、が１８８、は１８０、っ１７５、る１５６、じ１４３、ま１０９、れ１０７、も１０６、で１０５、り８４、を７９、となり、イルカの場合は、順に、ん３４７、は１８３、が１７７、で１６６、っ１５８、じ１３４、ま１３４、ら１１２、る８８、を７９、となり、社説の場合は、ん５２９、る１８２、は１７２、よ１７１、じ１６６、が１６４、で１４３、を１４１、ゅ１２２、っ１１１、だ１０４、となり、この３記事を総合した場合は、ん１３０６、は５３０、が５２９、じ４４１、る４２６、で４１４、っ３９６、ょ３６９、ま３３１、を３１４、も３０６、れ２８２、となる。
【００６５】これらの結果を総合的にみれば、ん、は、が、の３字母の出現率が高いことはほぼ肯定できる。
【００６６】それ以外の字母としては、たとえば、３記事を総合した場合、じ、る、で、っ、ょ、ま、を、も、れ、等の字母の出現率が高い。
【００６７】本発明の鍵盤上の字母配列は、基本的に１行５列を基礎的単位としているので、五十音図上の配置において、まったく孤立して現れる「ん」や「っ」の場合は、今回別に設けた枠にいれるのが適当であるから、これは天声人語、イルカ、３記事総合で相当に出現率の高い「っ」を選ぶ根拠になる。
【００６８】残された１個の字母を何にするかは、判断が困難であるが、先に選んだ、「は」「が」が、文法的に、格助詞であることは、入力者が他の字母から区別する重要な感覚を与えるので、同様の意味からは、格助詞「を」を選ぶことができる。
【００６９】また、「を」は、その１行が「わ」と「を」から成り立っていて、「ん」「っ」同様、五十音図上の配置において、一定の孤立性がある。
【００７０】これ以外では、文法的に「で」が助詞であり、「る」「れ」が動詞の活用のなかで出現し、「ょ」が、漢語の拗音として多く現れることも、それらの字母を他の字母から区別する感覚を与えるので選択対象として合理的であるが、日本語の分野や時代の推移とも関連するので、今後の日本語の音韻構造の動向を念頭におけば、残された１字母を最終的に決定することは困難であるが、本発明においては、現時点での日本語の特性にもっとも適切に対応する格助詞「を」を、選ぶことにする。
【００７１】以上によって、本発明においては、図１に示すように、１回の打鍵で字母が入力される基本的鍵盤の左半分に、上から順に、あ行、か行、さ行、の字母を設定し、その右半分に、上から順に、た行、な行の各字母を設定し、残された１行に、は、が、ん、っ、を、の５字母を設定することにする。
【００７２】本発明は、さらに、は行以下の字母を、シフト鍵を打鍵することによって呼び出す第二の鍵盤に置き、この鍵盤の左半分に、上から順に、は行、ま行、や行、右半分に、上から順に、ゃ、ゅ、ょ、−、‐、からなる１行、ら行、句読点等からなる１行を設定する。
【００７３】本発明はまた、別のシフト鍵を打鍵することによってよびだされる第三の鍵盤に、その左半分の上から順に、ぁ行、が行、ざ行、の各字母を設定し、その右半分の上から順に、だ行、ぱ行、ば行の各字母を設定するが、こらは、基本的鍵盤で、あ行が配置される位置にぁ行を、か行が配置される位置にが行を、さ行が配置される位置にざ行を、た行が配置される位置にだ行を、配置することによって、両者の関連が意識される形をとっている。
【００７４】ただし、五十音図に従った字母の配列については、富士通方式、ＮＥＣ方式ともに、右鍵盤から字母の配列を開始し、また、各行の字母の配列を、鍵盤の中心、すなわち右鍵盤の左端、左鍵盤の右端から始めており、この配列にも一定の合理性がある。
【００７５】ただし、富士通方式は、恐らくは平がな字母の音韻的特質を分析的に子音＋母音と考えて、全音韻構造の基本となるべきものとして、ホームポジションに置いて、右半分の鍵盤に上から順に、か行、あ行、さ行、を配列しているが、本発明に於いては、この場合にも、素直に五十音図の配列に従い、あ行、か行、さ行、の順に配列すべきであると考えている。
【００７６】本発明の鍵盤で、前掲の３記事を入力した場合には、基本的鍵盤のあ行、からな行、までで、合計１２１４５字母を入力し、残りの「は」「が」「ん」「っ」「を」の各字母で、３０７５字母を入力するは、その合計１５２２０打鍵は、全体の２１６９８打鍵の約７０．１５％となる。
【００７７】すなわち、本発明では、平かな字母で入力される現代日本語の約７割を１打鍵で入力することが可能であり、これは、現行の親指シフト方式の１打鍵での入力率５割６分、原型親指シフトの約６割に対して、相当に優位に立っている。
【００７８】本発明が、原型親指シフト方式に対して優越する点は、さらに、原型親指シフト方式では、基本的鍵盤、濁音きーと共働する濁音入力鍵盤、シフトキーと共働する、ま行、や行、ら行、わ行、ん、っ、の鍵盤、半濁音キーと共働する半濁音鍵盤の４個のシステムが必要であるが、本発明では、基本的鍵盤、シフト鍵と共働する継続鍵盤、いま一つのシフト鍵と共働する濁音、半濁音鍵盤、の３個のシステムで入力が可能なので、ヒューマンインターフェイスの観点からは、相対的にストレスが軽減される。
【図面の簡単な説明】
【００７９】
【図１】は、本発明の鍵盤の字母構成を示す示意図である。
【図２】は、ＪＩＳ方式の鍵盤の字母構成を示す示意図である。
【図３】は、現行の富士通の親指シフトの鍵盤の字母構成を示す示意図である。
【図４】は、原型の富士通の親指シフトの鍵盤の字母構成を示す示意図である。
【発明を実施するための形態】
【００８０】パーソナルコンピュータ。
【産業上の利用可能性】
【００８１】本発明は、パーソナルコンピュータの和文入力において、鍵盤の字母の配置を、日本語の単位音韻の特性と対応する平かな字母を対象に、日本語の五十音図も対応する配列を行ったことによって、同様の性格をもつ現行の携帯電話の入力方式と同種の日本語音韻への対応性をもつ入力方式を実現したものとして、ヒューマンインターフェイスを大きく改善したものであり、やがては、現行の携帯電話での和文入力方式と同じような独占的位置をパーソナルコンピュータの入力においても占めるようになると期待される。
【要約】
【課題】現在、片かな字母を用いたパーソナルコンピュータの入力方式としては、富士通のいわゆる親指シフト方式がもっとも高性能であるとされているが、五十音図を無視したこの方式は入力者にとってストレスが大きい。
【解決手段】本発明は、現行の親指シフトの原型になった富士通の五十音図に対応した入力方式をさらに改良することによって、五十音図に対応しながら、１打鍵で入力できる平がな字母の占める割合が全体の７０％に達する新方式を提案する。
【選択図】図１【図１】
0006032583.tif 000002
【図２】
0006032583.tif 000003
【図３】
0006032583.tif 000004
【図４】
0006032583.tif 000005